(57)【要約】【課題】  ディスプレイウィンドウが外側に位置するように閉じた状態でも通話できる、使用が便利なスイベル式の携帯端末機を提供することにある。【解決手段】  スイベル式の携帯端末機は、音声信号が入力されるマイクが装着される端末機本体と、該端末機本体に回転及びスイング可能に連結され、情報をディスプレイするディスプレイウィンドウが装着されるディスプレイユニットと、該ディスプレイユニットに装着され、ディスプレイユニットが回転して開いた状態である時、音声信号が出力される第１のレシーバーと、前記ディスプレイユニットに装着され、ディスプレイウィンドウが外部に露出するように閉じられている時、音声信号が出力される第２のレシーバーと、から構成される。【選択図】    図１
2005184841.tif 000002
【特許請求の範囲】
【請求項１】
音声信号が入力されるマイクが装着される端末機本体と、
該端末機本体に回転及びスイング可能に連結され、情報をディスプレイするディスプレイウィンドウが装着されるディスプレイユニットと、
該ディスプレイユニットに装着され、ディスプレイユニットが回転して開いた状態である時、音声信号が出力される第１のレシーバーと、
前記ディスプレイユニットに装着され、ディスプレイウィンドウが外部に露出するように閉じられている時、音声信号が出力される第２のレシーバーと、
から構成されることを特徴とするスイベル式の携帯端末機。
【請求項２】
前記マイクは、入力される音声信号の増幅率を異なって設定し得るように構成されることを特徴とする請求項１に記載のスイベル式の携帯端末機。
【請求項３】
前記マイクは、前記ディスプレイウィンドウが外部に露出するように前記ディスプレイユニットが閉じられる時、前記マイクが外部に露出できるように前記端末機本体の端部分に装着されることを特徴とする請求項１に記載のスイベル式の携帯端末機。
【請求項４】
前記マイクは、前記ディスプレイウィンドウが外部に露出するように前記ディスプレイユニットが閉じられる時、前記マイクが外部に露出できるように前記端末機本体の側面に装着されることを特徴とする請求項１に記載のスイベル式の携帯端末機。
【請求項５】
前記第１のレシーバーは、前記ディスプレイユニットの上部に装着されることを特徴とする請求項１に記載のスイベル式の携帯端末機。
【請求項６】
前記第２のレシーバーは、前記ディスプレイユニットの下部に装着されることを特徴とする請求項１に記載のスイベル式の携帯端末機。
【請求項７】
前記スイベル式の携帯端末機は、前記ディスプレイウィンドウが外部に露出された状態の前記ディスプレイユニットがスイベル状態で通話できるように、前記マイク、第１のレシーバー及び第２のレシーバーを制御する制御ユニットをさらに含むことを特徴とする請求項１に記載のスイベル式の携帯端末機。
【請求項８】
前記制御ユニットは、前記ディスプレイウィンドウが外部に露出するように前記ディスプレイユニットが閉じられた状態を感知するセンシング部と、該センシング部から印加される信号によって前記マイクの入力される音声信号の増幅率を制御するとともに、前記第１及び第２のレシーバーのうちいずれか一つを選択的にオーディオパスと連結するコントローラと、から構成されることを特徴とする請求項７に記載のスイベル式の携帯端末機。
【請求項９】
前記センシング部は、
前記ディスプレイユニットの一側に装着されて磁場を発生するマグネットと、
前記端末機本体の一側に装着され、前記ディスプレイウィンドウが内部に位置するように前記ディスプレイユニットが閉じられると、前記マグネットの磁場を感知し、その信号を前記コントローラに伝達する第１のセンサーと、
前記端末機本体の他側に装着され、前記ディスプレイウィンドウが外部に露出するように前記ディスプレイユニットが閉じられると、前記マグネットの磁場を感知し、その信号をコントローラに伝達する第２のセンサーと、から構成されることを特徴とする請求項８に記載のスイベル式の携帯端末機。
【請求項１０】
前記マグネットは、前記ディスプレイユニットの下部の一側に装着され、前記第１及び第２のセンサーは、前記端末機本体の上部の両側にそれぞれ装着されることを特徴とする請求項９に記載のスイベル式の携帯端末機。
【請求項１１】
ディスプレイユニットがスイベル状態であるか否かを判断する第１段階と、
前記第１段階で、ディスプレイユニットがスイベル状態であると判断される場合、第２のレシーバーをオーディオパスと連結し、マイクの増幅率を高く設定する第２段階と、
ディスプレイユニットをスイベル状態で通話を進行する第３段階と、
を含むことを特徴とするスイベル式の携帯端末機の制御方法。
【請求項１２】
前記第１段階で、ディスプレイユニットがスイベル状態でないと判断される場合、第１のレシーバーをオーディオパスと連結し、マイクの増幅率を低く設定する段階をさらに含むことを特徴とする請求項１１に記載のスイベル式の携帯端末機の制御方法。
【請求項１３】
前記第１段階は、ディスプレイウィンドウが外部に露出して前記ディスプレイユニットがスイベル状態である場合、前記ディスプレイユニットに装着されたマグネットの磁場を前記端末機本体に装着された第２のセンサーが感知し、その信号をコントローラに印加すると、前記コントローラがディスプレイユニットのスイベル状態を判断することを特徴とする請求項１１に記載のスイベル式の携帯端末機の制御方法。
【請求項１４】
前記第１段階で、ディスプレイユニットが回転して開いた状態である場合は、前記ディスプレイユニットに装着されたマグネットの磁場を端末機本体に装着された第１のセンサーが感知できないため、コントローラに信号が印加されないと、前記コントローラは、前記ディスプレイユニットが開いた状態であると判断することを特徴とする請求項１１に記載のスイベル式の携帯端末機の制御方法。
【請求項１５】
前記第２段階は、前記第２のセンサーから信号がコントローラに印加されると、前記コントローラは、前記第２のレレシーバーをオーディオパスと連結し、マイクに入力される音声信号の増幅率を高い利得状態に設定することを特徴とする請求項１３に記載のスイベル式の携帯端末機の制御方法。
【請求項１６】
前記第１段階で、ディスプレイユニットが回転して開いた状態であると判断されれる場合、前記コントローラは、前記第１のレシーバーをオーディオパスと連結し、マイクに入力される音声信号の増幅率を低い利得状態に設定することを特徴とする請求項１４に記載のスイベル式の携帯端末機の制御方法。
【発明の詳細な説明】
【技術分野】
【０００１】
本発明は、スイベル式の携帯端末機に関し、特に、ディスプレイユニットのディスプレイウィンドウが外部に露出されるように回転した状態でも通話できる、使用が便利なスイベル式の携帯端末機に関する。
【背景技術】
【０００２】
一般的に、携帯端末機は、開閉方式によって色々なタイプに分けられ、本体にカバーが開閉可能に装着される折り畳み型(flip type)、ＬＣＤが装着されたフォルダが本体に開閉可能に装着されるフォルダ型(folder type)、ＬＣＤが装着されたディスプレイユニットがスライド方式に開閉されるスライド型(slide type)などがあり、最近は、ディスプレイユニットが回転するスイベル方式(swivletype)が開発されて市場に出ている。
【０００３】
図７は、従来技術によるスイベル式の携帯端末機の斜視図である。
【０００４】
図７に示すように、従来技術によるスイベル式の携帯端末機は、各種回路部品が装着されたＰＣＢが内蔵され、前面にキーパッド１０２が装着される端末機本体１１０と、端末機本体１１０の上段に回転(rotation)及びスイング(swing)可能に連結され、ユーザーの望む情報をディスプレイするディスプレイウィンドウ１２２が装着されるディスプレイユニット１２０と、端末機本体１１０とディスプレイユニット１２０間に設置され、ディスプレイユニット１２０を回転及びスイング可能に支持するスイングヒンジ部１３０と、から構成される。
【０００５】
ここで、端末機本体１１０の下側には、音声信号を送信するマイク１０４が装着され、前記ディスプレイユニット１２０の上側には、音声信号を受信するレシーバー１２４が装着される。
このように構成される従来技術によるスイベル式の形態端末機は、ディスプレイユニット１２０を回転させて開けた後にスイングさせると、ディスプレイウィンドウ１２２が外側に向かうようになり、またディスプレイユニット１２０を回転させて閉じると、ディスプレイウィンドウ１２２が外部に完全に露出され、ディスプレイウィンドウ１２２に表示される映像を確認することが容易で、カメラを利用して写真撮影をする場合は、ディスプレイウィンドウ１２２を通して映像を確認することが容易である。
【０００６】
しかしながら、前述したように構成される従来技術によるスイベル式の携帯端末機は、ディスプレイユニット１２０を回転及びスイングしてディスプレイウィンドウ１２２が外側に位置した状態で閉じる時、通話をするためにはディスプレイユニット１２０をまた回転した後にスイングさせて、ディスプレイウィンドウ１２２が内側に向かうようにしてから通話をしなければならないため、使用が不便であるという問題点がある。   
【発明の開示】
【発明が解決しようとする課題】
【０００７】
本発明は、前述したような従来技術の問題点を解決するために提案されたもので、本発明の目的は、ディスプレイウィンドウが外側に位置するように閉じた状態でも通話できる、使用が便利なスイベル式の携帯端末機を提供することにある。 
【課題を解決するための手段】
【０００８】
このような目的を達成するための本発明のスイベル式の携帯端末機は、音声信号が入力されるマイクが装着される端末機本体と、該端末機本体に回転及びスイング可能に連結され、情報をディスプレイするディスプレイウィンドウが装着されるディスプレイユニットと、該ディスプレイユニットに装着され、ディスプレイユニットが回転して開いた状態である時、音声信号が出力される第１のレシーバーと、前記ディスプレイユニットに装着され、ディスプレイウィンドウが外部に露出するように閉じられている時、音声信号が出力される第２のレシーバーと、から構成されることを特徴とする。
【０００９】
前記マイクは、入力される音声信号の増幅率を異なって設定し得るように構成されることを特徴とする。
【００１０】
前記マイクは、前記ディスプレイウィンドウが外部に露出するように前記ディスプレイユニットが閉じられる時、前記マイクが外部に露出できるように前記端末機本体の端部分に装着されるか、前記ディスプレイウィンドウが外部に露出するように前記ディスプレイユニットが閉じられる時、前記マイクが外部に露出できるように前記端末機本体の側面に装着されることを特徴とする。
【００１１】
前記スイベル式の携帯端末機は、前記ディスプレイウィンドウが外部に露出した状態の前記ディスプレイユニットがスイベル状態で通話できるように、前記マイク、第１のレシーバー及び第２のレシーバーを制御する制御ユニットをさらに含むことを特徴とする。
【００１２】
前記制御ユニットは、前記ディスプレイウィンドウが外部に露出するように前記ディスプレイユニットが閉じられた状態を感知するセンシング部と、該センシング部から印加される信号によって前記マイクの入力される音声信号の増幅率を制御するとともに、前記第１及び第２のレシーバーのうちいずれか一つを選択的にオーディオパスと連結するコントローラと、から構成されることを特徴とする。
【００１３】
本発明によるスイベル式の携帯端末機の制御方法は、ディスプレイユニットがスイベル状態であるか否かを判断する第１段階と、前記第１段階で、ディスプレイユニットがスイベル状態であると判断される場合、第２のレシーバーをオーディオパスと連結し、マイクの増幅率を高く設定する第２段階と、ディスプレイユニットをスイベル状態で通話を進行する第３段階と、を含むことを特徴とする。
【００１４】
前記第１段階で、ディスプレイユニットがスイベル状態でないと判断される場合、第１のレシーバーをオーディオパスと連結し、マイクの増幅率を低く設定する段階をさらに含むことを特徴とする。
【００１５】
前記第１段階は、ディスプレイウィンドウが外部に露出して前記ディスプレイユニットがスイベル状態である場合、前記ディスプレイユニットに装着されたマグネットの磁場を前記端末機本体に装着された第２のセンサーが感知し、その信号をコントローラに印加すると、前記コントローラがディスプレイユニットのスイベル状態を判断することを特徴とする。
【００１６】
従って、本発明は、以下を提供する。
１．  音声信号が入力されるマイクが装着される端末機本体と、
該端末機本体に回転及びスイング可能に連結され、情報をディスプレイするディスプレイウィンドウが装着されるディスプレイユニットと、
該ディスプレイユニットに装着され、ディスプレイユニットが回転して開いた状態である時、音声信号が出力される第１のレシーバーと、
前記ディスプレイユニットに装着され、ディスプレイウィンドウが外部に露出するように閉じられている時、音声信号が出力される第２のレシーバーと、
から構成されることを特徴とするスイベル式の携帯端末機。
２．  前記マイクは、入力される音声信号の増幅率を異なって設定し得るように構成されることを特徴とする項目１に記載のスイベル式の携帯端末機。
３．  前記マイクは、前記ディスプレイウィンドウが外部に露出するように前記ディスプレイユニットが閉じられる時、前記マイクが外部に露出できるように前記端末機本体の端部分に装着されることを特徴とする項目１に記載のスイベル式の携帯端末機。
４．  前記マイクは、前記ディスプレイウィンドウが外部に露出するように前記ディスプレイユニットが閉じられる時、前記マイクが外部に露出できるように前記端末機本体の側面に装着されることを特徴とする項目１に記載のスイベル式の携帯端末機。
５．  前記第１のレシーバーは、前記ディスプレイユニットの上部に装着されることを特徴とする項目１に記載のスイベル式の携帯端末機。
６．  前記第２のレシーバーは、前記ディスプレイユニットの下部に装着されることを特徴とする項目１に記載のスイベル式の携帯端末機。
７．  前記スイベル式の携帯端末機は、前記ディスプレイウィンドウが外部に露出された状態の前記ディスプレイユニットがスイベル状態で通話できるように、前記マイク、第１のレシーバー及び第２のレシーバーを制御する制御ユニットをさらに含むことを特徴とする項目１に記載のスイベル式の携帯端末機。
８．  前記制御ユニットは、前記ディスプレイウィンドウが外部に露出するように前記ディスプレイユニットが閉じられた状態を感知するセンシング部と、該センシング部から印加される信号によって前記マイクの入力される音声信号の増幅率を制御するとともに、前記第１及び第２のレシーバーのうちいずれか一つを選択的にオーディオパスと連結するコントローラと、から構成されることを特徴とする項目７に記載のスイベル式の携帯端末機。
９．  前記センシング部は、
前記ディスプレイユニットの一側に装着されて磁場を発生するマグネットと、
前記端末機本体の一側に装着され、前記ディスプレイウィンドウが内部に位置するように前記ディスプレイユニットが閉じられると、前記マグネットの磁場を感知し、その信号を前記コントローラに伝達する第１のセンサーと、
前記端末機本体の他側に装着され、前記ディスプレイウィンドウが外部に露出するように前記ディスプレイユニットが閉じられると、前記マグネットの磁場を感知し、その信号をコントローラに伝達する第２のセンサーと、から構成されることを特徴とする項目８に記載のスイベル式の携帯端末機。
１０．  前記マグネットは、前記ディスプレイユニットの下部の一側に装着され、前記第１及び第２のセンサーは、前記端末機本体の上部の両側にそれぞれ装着されることを特徴とする項目９に記載のスイベル式の携帯端末機。
１１．  ディスプレイユニットがスイベル状態であるか否かを判断する第１段階と、
前記第１段階で、ディスプレイユニットがスイベル状態であると判断される場合、第２のレシーバーをオーディオパスと連結し、マイクの増幅率を高く設定する第２段階と、
ディスプレイユニットをスイベル状態で通話を進行する第３段階と、
を含むことを特徴とするスイベル式の携帯端末機の制御方法。
１２．  前記第１段階で、ディスプレイユニットがスイベル状態でないと判断される場合、第１のレシーバーをオーディオパスと連結し、マイクの増幅率を低く設定する段階をさらに含むことを特徴とする項目１１に記載のスイベル式の携帯端末機の制御方法。
１３．  前記第１段階は、ディスプレイウィンドウが外部に露出して前記ディスプレイユニットがスイベル状態である場合、前記ディスプレイユニットに装着されたマグネットの磁場を前記端末機本体に装着された第２のセンサーが感知し、その信号をコントローラに印加すると、前記コントローラがディスプレイユニットのスイベル状態を判断することを特徴とする項目１１に記載のスイベル式の携帯端末機の制御方法。
１４．  前記第１段階で、ディスプレイユニットが回転して開いた状態である場合は、前記ディスプレイユニットに装着されたマグネットの磁場を端末機本体に装着された第１のセンサーが感知できないため、コントローラに信号が印加されないと、前記コントローラは、前記ディスプレイユニットが開いた状態であると判断することを特徴とする項目１１に記載のスイベル式の携帯端末機の制御方法。
１５．  前記第２段階は、前記第２のセンサーから信号がコントローラに印加されると、前記コントローラは、前記第２のレレシーバーをオーディオパスと連結し、マイクに入力される音声信号の増幅率を高い利得状態に設定することを特徴とする項目１３に記載のスイベル式の携帯端末機の制御方法。
１６．  前記第１段階で、ディスプレイユニットが回転して開いた状態であると判断されれる場合、前記コントローラは、前記第１のレシーバーをオーディオパスと連結し、マイクに入力される音声信号の増幅率を低い利得状態に設定することを特徴とする項目１４に記載のスイベル式の携帯端末機の制御方法。
【発明の効果】
【００１７】
本発明によるスイベル式の携帯端末機は、ディスプレイユニットが回転して閉じられた状態では第１のレシーバー及びマイクを利用して通話し、ディスプレイユニットがスイングされてディスプレイウィンドウが外部に露出された状態では第２のレシーバー及びマイクを利用して通話するので、使用が便利であるという長所がある。
【発明を実施するための最良の形態】
【００１８】
以下、図面を参照して本発明によるスイベル式の携帯端末機の実施形態を説明する。
【００１９】
本発明によるスイベル式の携帯端末機の実施形態は複数存在することができ、以下、最も望ましい実施形態に対して説明する。
【００２０】
図１は、本発明によるスイベル式の携帯端末機の斜視図である。
【００２１】
本発明のスイベル式の携帯端末機は、各種回路部品が実装されたＰＣＢが内蔵され、前面にユーザーが操作するキーパッド１２が装着される端末機本体１０と、端末機本体１０に回転及びスイング可能に連結され、ユーザーの望む情報をディスプレイするディスプレイウィンドウ２２が装着されるディスプレイユニット２０と、ディスプレイユニット２０と端末機本体１０間に装着され、ディスプレイユニット２０を回転及びスイング可能に支持するスイングヒンジ部３０と、ディスプレイウィンドウ２２が外側に位置して閉じられた時、端末機の通話が可能に制御する制御ユニットと、から構成される。
【００２２】
端末機本体１０は、上段にスイングヒンジ部３０が装着され、下段に音声信号を送信するマイク１４が装着される。
【００２３】
ここで、マイク１４は、ディスプレイウィンドウ２２が外部に露出されるようにディスプレイユニット２０が閉じられている時、マイク１４が外部に露出できるように端末機本体１０の下側端に装着されるか、端末機本体１０の下段側面に設置される。
【００２４】
また、マイク１４は、入力される音声信号の増幅率を異なって設定することができる。即ち、前記制御ユニットに印加される信号によってディスプレイユニット２２が正常に開いた状態で通話をする場合は、マイク１４の増幅率が低い状態に設定されて入力される音声信号を増幅し、ディスプレイウィンドウ２２が外部に露出して閉じられた状態で通話をする場合は、マイク１４の増幅率が高い状態に設定されて入力される音声信号を増幅する。
【００２５】
ディスプレイユニット２２は、下段がスイングヒンジ部３０により端末機本体１０の上段に回転及びスイング可能に連結され、内側面には画像及び各種情報をディスプレイするディスプレイウィンドウ２２が装着される。また、ディスプレイユニット２０の上部には、該ディスプレイユニット２０がスイングヒンジ部３０により 回転して開いた状態で通話をする時、音声信号を受信する第１のレシーバー２４が装着され、下部にはディスプレイウィンドウ２２が外部に露出してディスプレイユニット２０が閉じれた状態で通話をする時、音声信号を受信する第２のレシーバー２６が装着される。
【００２６】
図３に示すように、制御ユニットは、ディスプレイウィンドウ２２が内側に位置するようにディスプレイユニット２０を閉じた状態及びディスプレイウィンドウ２２が外側に位置するようにディスプレイユニット２０を閉じた状態をそれぞれ感知するセンシング部４０、４２と、該センシング部４０、４２に伝達される信号によって第１のレシーバー２４及び第２のレシーバー２６のうちいずれか一つをオーディオパスに連結し、マイク１４の増幅率を低い状態及び高い状態のうちいずれか一つに調整するコントローラ５０と、から構成される。
【００２７】
センシング部４０、４２は、ディスプレイユニット２０の一側面に装着されて磁場を発生するマグネット４６と、端末機本体１０の一側面に装着され、ディスプレイウィンドウ２２が内側に位置するようにディスプレイユニット２０が正常に閉じられると、マグネット４６と対向してマグネット４６から発生する磁場を感知し、その信号をコントローラ５０に印加する第１のセンサー４０と、端末機本体１０の他側面に装着され、ディスプレイユニットが１８０°スイングされてディスプレイウィンドウが外側に位置すると、マグネット４６と対向してマグネット４６から発生する磁場を感知し、その信号を前記コントローラ５０に印加する第２のセンサー４２と、から構成される。
【００２８】
マグネット４６は、ディスプレイユニット２０の下部の右側に装着されることが望ましい。また、第１のセンサー４０は、端末機本体１０の上部右側に装着され、ディスプレイユニット２０が正常に閉じられると、マグネット４６と対向して位置し、第２のセンサー４２は、端末機本体１０の上部左側に装着され、ディスプレイユニット２０が１８０°スイングされた状態で閉じられると、マグネット４６と対向して位置する。
【００２９】
ここで、第１のセンサー４０及び第２のセンサー４２は、マグネット４６から発生した磁場を感知し得るいずれのセンサーも適用できる。
【００３０】
以下、前述したように構成される本発明によるスイベル式の携帯端末機の作用を説明する。
図４は、本発明によるスイベル式の携帯端末機の制御工程を示すフローチャートである。
【００３１】
ディスプレイユニット２０が正常に閉じられた状態、即ち、ディスプレイウィンドウ２２が内部に位置するようにディスプレイユニット２０を端末機本体１０の方に閉じた状態になると、マグネット４６の磁場を第１のセンサー４０が感知し、その信号をコントローラ５０に印加し、コントローラ５０は電源をオフする。
【００３２】
このような状態で、ユーザーがディスプレイユニット２０を回転させて約１２０°に開けると、マグネット４６と第１のセンサー４０が離れるようになり、よって、コントローラ５０は端末機の電源をオンさせる(Ｓ１０)。
【００３３】
端末機電源がオンになると、ディスプレイユニット２０がスイベル状態であるか否かを判断する(Ｓ２０)。即ち、ディスプレイユニット２０が１２０°に回転して開いた後、１８０°にスイングされ、また１２０°に回転してディスプレイウィンドウ２２が外側に位置すると、マグネット４６と第２のセンサー４２が対向して位置するようになり、マグネット４６の磁場を第２のセンサー４２が感知し、その信号をコントローラ５０に伝達する。そうすると、コントローラ５０は、ディスプレイユニット２０がスイベル状態であると判断する。
【００３４】
ディスプレイユニット２０がスイベル状態ではないと判断される場合、図５に示すように、コントローラ５０は、第１のレシーバー２４をオーディオパスと連結し、マイク１４の増幅率を低い状態に設定する。そうすると、ディスプレイユニット２０が正常に開いた状態になり第１のレシーバー２４に音声信号を出力し、マイク１４を通して増幅率の低い音声信号が入力されて正常な通話が行われる(Ｓ３０、Ｓ４０、Ｓ７０)。
【００３５】
さらに、ディスプレイユニット２０がスイベル状態であると判断される場合、図６に示すように、コントローラ５０は、第２のレシーバー２６をオーディオパスと 連結し、マイク１４の増幅率を高い状態に設定する。そうすると、第２のレシーバー２６がオーディオパスと連結されて音声信号が出力され、マイク１４を通して増幅率の高い音声信号が入力される(Ｓ５０、Ｓ６０、Ｓ７０)
即ち、図６に示すように、ディスプレイウィンドウ２０が外部に露出してディスプレイユニット２０が端末機本体１０の方に閉じられた状態になるため、第２のレシーバー２６とマイク１４間の距離が短くなるので、マイク１４の入力される音声信号の増幅率を高めることで、正常な通話が行われるようにする。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３７】
【図１】本発明による携帯端末機の斜視図である。
【図２】本発明による携帯端末機が閉じられている状態の斜視図である。
【図３】本発明による携帯端末機の制御装置を示すブロック図である。
【図４】本発明による携帯端末機の制御工程を示すフローチャートである。
【図５】本発明による携帯端末機の通話状態を示す作動状態図である。
【図６】本発明による携帯端末機の通話状態を示す作動状態図である。
【図７】従来技術による携帯端末機の斜視図である。＜符号の説明＞１０：端末機本体 １２：キーパッド１４：マイク２０：ディスプレイユニット２２：ディスプレイウィンドウ２４：第１のレシーバー２６：第２のレシーバー３０：スイングヒンジ部４０：第１のセンサー４２：第２のセンサー４６：マグネット５０：コントローラ
【図１】
2005184841.tif 000003
【図２】
2005184841.tif 000004
【図３】
2005184841.tif 000005
【図４】
2005184841.tif 000006
【図５】
2005184841.tif 000007
【図６】
2005184841.tif 000008
【図７】
2005184841.tif 000009